(57)【特許請求の範囲】
【請求項１】
内視鏡の処置具挿通路の入口部分に着脱自在に取り付けられる弾力性のある材料からなる蓋体に、上記処置具挿通路の入口部分に配置された栓受け孔に対して嵌め込み及び離脱自在な栓部が形成され、上記処置具挿通路に挿通される処置具によって押し広げられる「−」状のスリットが上記栓部に形成された内視鏡の鉗子栓において、
上記栓受け孔を奥側へ漸次窄まる円錐状に形成すると共に、上記栓部を、上記スリットの長手方向以外の部分は全領域において上記栓受け孔にきつく嵌まる円錐状に形成し、上記スリットの長手方向の部分のみは、上記蓋体と上記栓受け孔との間に隙間が生じてその隙間部分に上記栓部が広がることができるように、上記蓋体の外面を削ぎ落とした形状に形成したことを特徴とする内視鏡の鉗子栓。
【請求項２】
上記栓受け孔部分の外壁の外周面に円周溝が形成されて、その円周溝に軸線周りに回転自在に係合する環状部が上記蓋体と連結されている請求項１記載の内視鏡の鉗子栓。
【請求項３】
上記栓受け孔部分が弾力性のある材料によって形成されて、上記処置具挿通路の入口に突設された口金に対して着脱自在である請求項１又は２記載の内視鏡の鉗子栓。
【発明の詳細な説明】
【０００１】
【発明の属する技術分野】
この発明は、内視鏡の処置具挿通路の入口に配置される内視鏡の鉗子栓に関する。
【０００２】
【従来の技術】
内視鏡の鉗子栓は、処置具挿通路を介して体内汚液等が噴出しないように処置具挿通路の入口部分の栓をし、しかも処置具挿通路に処置具を挿脱する際には栓を開閉する特別な操作を必要としないものであることが望ましい。
【０００３】
そこで内視鏡の鉗子栓は一般に、内視鏡の処置具挿通路の入口部分に着脱自在に取り付けられる弾力性のある材料からなる蓋体に、処置具挿通路の入口部分に形成された栓受け孔に対して嵌め込み及び離脱自在な栓部が形成され、通常は自己の弾力性によって閉じた状態を維持し、処置具挿通路に挿通される処置具によって押し広げられる「−」状のスリットが栓部に形成されている。
【０００４】
そして、処置具が挿通されていない通常状態においてスリットが確実に閉じた状態になるように、栓受け孔の断面形状を例えば長円形状に形成して、栓部が栓受け孔に嵌め込まれた状態のときに、スリットが栓受け孔の短径壁から閉じ方向に力を受けるようになっている。
【０００５】
【発明が解決しようとする課題】
上述のような栓部が形成された蓋体は、取り扱い上及び機能上等の要請から栓受け孔に対して軸線周りに回転自在に取り付けられている。
【０００６】
そのため、栓体が栓受け孔に対して所定の向きから相対的に９０°回転した状態で嵌め込まれると、栓受け孔からスリットに閉じ方向の力が作用しないのみならず、スリットを長手方向に圧迫する力が作用してスリットが開き、処置具挿通路側から体内汚液等が噴出してしまう。
【０００７】
そこで本発明は、スリットが形成された栓体が栓受け孔に対してどのように回転した状態に嵌め込まれても、栓受け孔側からスリットに常に閉じ方向の力が作用して体内汚液等が噴出しない衛生的な内視鏡の鉗子栓を提供することを目的とする。
【０００８】
【課題を解決するための手段】
上記の目的を達成するため、本発明の内視鏡の鉗子栓は、内視鏡の処置具挿通路の入口部分に着脱自在に取り付けられる弾力性のある材料からなる蓋体に、処置具挿通路の入口部分に形成された栓受け孔に対して嵌め込み及び離脱自在な栓部が形成され、処置具挿通路に挿通される処置具によって押し広げられる「−」状のスリットが栓部に形成された内視鏡の鉗子栓において、栓受け孔を奥側へ漸次窄まる円錐状に形成すると共に、栓部を、スリットの長手方向以外の部分は栓受け孔にきつく嵌まる円錐状に形成し、スリットの長手方向の部分は栓受け孔との間に隙間が生じるように形成したものである。
【０００９】
なお、栓受け孔部分の外壁の外周面に円周溝が形成されて、その円周溝に軸線周りに回転自在に係合する環状部が蓋体と連結されていてもよく、栓受け孔部分が弾力性のある材料によって形成されて、処置具挿通路の入口に突設された口金に対して着脱自在であってもよい。
【００１０】
【発明の実施の形態】
図面を参照して本発明の実施例を説明する。
図５は内視鏡を示しており、可撓管によって外装された挿入部１の基端が操作部２の下端に連結されている。
【００１１】
挿入部１内に挿通配置された処置具挿通路３の先端は挿入部１の先端において外部に開口し、処置具挿通路３の入口に配置された鉗子栓１０が、操作部２の下端部分から斜め上方に突出している。
【００１２】
図１と図２は、処置具挿通路３の入口端部に設けられた入口口金３０に着脱自在に取り付けられた鉗子栓１０を示しており、図１は正面断面図、図２は側面断面図である。
【００１３】
鉗子栓１０は、各々が弾力性のあるゴム材によって形成された樽状部材１１と蓋状部材１２とを、直列に配置して構成されている。
樽状部材１１は、その下端内周面に突設された弾性突起１３が入口口金３０の口元近傍に形成された第１の円周溝３２に嵌め込まれており、弾性突起１３の周辺を弾性変形させることにより、第１の円周溝３２に係脱させることができる。
【００１４】
樽状部材１１には、中心に小孔１５が形成された閉鎖膜１４が入口口金３０の開口端に対向する位置に形成されており、図示されていない処置具が小孔１５を押し広げながら処置具挿通路３内に挿通される。
【００１５】
蓋状部材１２は、樽状部材１１の外周面に形成された第２の円周溝３３に弾力的に着脱自在に且つ軸線周りに回転自在に取り付けられた環状部２１に、柔軟な連結バンド部２２を介して蓋体部２３が連結されて構成されている。
【００１６】
蓋体部２３の中央部分には、樽状部材１１の入口開口部分である栓受け孔１６に対して嵌め込み及び離脱自在な栓部２４が、蓋体部２３に対して一体に下方に向けて突設されている。栓部２４の底部分は閉鎖膜２６になっていて、その中央に「−」状のスリット２７が形成されている。
【００１７】
樽状部材１１の栓受け孔１６は奥側へ漸次窄まる円錐状に形成されており、そこに嵌め込まれる蓋状部材１２の栓部２４は、スリット２７の長手方向以外の部分が栓受け孔１６にきつく嵌まる円錐状に形成されている。
【００１８】
そしてスリット２７の長手方向の部分は、栓部２４を奥側から見た状態が図示されている図３にも示されるように、円弧部分を平面状に削ぎ落とした形状に形成されていて、栓受け孔１６との間に隙間が生じるようになっている。各図において２４ａがその平面部である。
【００１９】
図１と図２に示されるように、樽状部材１１の栓受け孔１６部分の外周面には円周溝１７が形成されており、その円周溝１７に弾力的に係脱自在な係合突起２９が、蓋体部２３の下面側から内方に向けて、栓部２４を囲んで環状に突出して形成されている。
【００２０】
したがって、蓋体部２３は樽状部材１１に対して軸線周りに回転自在であるが、どのような向きであっても、係合突起２９が円周溝１７に係合した状態においては、蓋体部２３の栓部２４が樽状部材１１の栓受け孔１６に嵌まり込んだ状態になる。
【００２１】
その時、栓部２４のスリット２７の長手方向以外の部分が円錐状に形成された栓受け孔１６にきつく嵌まり込んだ状態になると共に、スリット２７の長手方向の両端部分においては、平面部２４ａと栓受け孔１６との間に隙間ができて栓部２４が広がる自由性を有している。
【００２２】
その結果、栓部２４が栓受け孔１６にどの様な向きに嵌め込まれても、スリット２７が樽状部材１１の栓受け孔１６側から常に閉じ方向の力を受け、処置具挿通路３側からの体内汚液等の噴出が確実に防止される。
【００２３】
そして、処置具挿通路３に処置具を挿通すれば、通過する処置具によってスリット２７が押し開かれ、処置具が抜き出されればスリット２７は閉鎖膜２６部分の弾性によって元の閉じた状態に戻る。
【００２４】
また、係合突起２９を弾性変形させて円周溝１７から離脱させれば、図４に示されるように、栓部２４が栓受け孔１６から抜け出して、蓋体部２３が樽状部材１１から外れた状態になる。
【００２５】
【発明の効果】
本発明によれば、栓受け孔を奥側へ漸次窄まる円錐状に形成すると共に、栓部を、スリットの長手方向以外の部分は栓受け孔にきつく嵌まる円錐状に形成し、スリットの長手方向の部分は栓受け孔との間に隙間が生じるように形成したことにより、スリットが形成された栓体が栓受け孔に対してどのように回転した状態で嵌め込まれても、栓受け孔側からスリットに常に閉じ方向の力が作用してスリットが確実に閉じ、体内汚液等が噴出しない。
【図面の簡単な説明】
【図１】本発明の実施例の内視鏡の鉗子栓の正面断面図である。
【図２】本発明の実施例の内視鏡の鉗子栓の側面断面図である。
【図３】本発明の実施例の内視鏡の鉗子栓の蓋体部が栓受け孔から取り外された状態の平面図である。
【図４】本発明の実施例の内視鏡の鉗子栓の蓋体部が栓受け孔から取り外された状態の側面断面図である。
【図５】本発明の実施例の内視鏡の全体構成を示す側面図である。
【符号の説明】
３  処置具挿通路
１０  鉗子栓
１１  樽状部材
１２  蓋状部材
１６  栓受け孔
２３  蓋体部
２４  栓部
２４ａ  平面部
２６  閉鎖膜
２７  スリット
【図１】
0004723075.tif 000002
【図２】
0004723075.tif 000003
【図３】
0004723075.tif 000004
【図４】
0004723075.tif 000005
【図５】
0004723075.tif 000006